(57)【特許請求の範囲】
【請求項１】
原稿からの反射光量に応じてアナログ信号を出力する読取手段を、本体装着およびハンディ操作により利用可能に備え、その読取手段からのアナログ信号をデジタル信号に変換する際、装置本体に設けられた基準部材を読み取って得られる所定の色レベルに基づいてＡ／Ｄ変換する画像読取装置であって、
上記読取手段が本体装着状態で待機中にあるとき、その読取手段を所定時間ごとに本体装着状態での原稿読取動作における１ラインあたりの読取時間よりも短い１ラインあたりの読取時間で上記基準部材の読取動作をさせて色レベルを調整し、そうして得られた色レベルをハンディ操作用として設定する色レベル設定手段と、
上記読取手段をハンディ操作で使用するとき、上記色レベル設定手段により設定されたハンディ操作用の色レベルに基づいて、上記読取手段からのアナログ信号をデジタル信号に変換させるＡ／Ｄ変換制御手段とを有することを特徴とする画像読取装置。
【請求項２】
上記色レベル設定手段は、上記ハンディ操作用の色レベルとして、読取階調に応じた黒レベルを読取階調ごとに設定する一方、上記Ａ／Ｄ変換制御手段は、上記読取手段をハンディ操作で使用するとき、その際に指定された読取階調に対応する黒レベルを基準としてＡ／Ｄ変換を行わせる、請求項１に記載の画像読取装置。
【請求項３】
原稿からの反射光量に応じてアナログ信号を出力する読取手段を、本体装着およびハンディ操作により利用可能に備え、その読取手段からのアナログ信号をデジタル信号として取り込む際、装置本体に設けられた基準部材を読み取って設定される光源光量レベルを所定の光源光量レベルとした条件の下で上記読取手段を動作させる画像読取装置であって、
上記読取手段が本体装着状態で待機中にあるとき、その読取手段を所定時間ごとに本体装着状態での原稿読取動作における１ラインあたりの読取時間よりも短い１ラインあたりの読取時間で上記基準部材の読取動作をさせて光源光量レベルを調整し、そうして得られた光源光量レベルをハンディ操作用として設定する光源光量レベル設定手段と、
上記読取手段をハンディ操作で使用するとき、上記光源光量レベル設定手段により設定されたハンディ操作用の光源光量レベルの下で、上記読取手段に読取動作を行わせる読取動作制御手段とを有することを特徴とする画像読取装置。
【請求項４】
原稿からの反射光量に応じてアナログ信号を出力する読取手段を、本体装着およびハンディ操作により利用可能に備え、その読取手段からのアナログ信号をデジタル信号に変換する際、装置本体に設けられた基準部材を読み取って得られる所定の色レベルに基づいてＡ／Ｄ変換する画像読取装置を制御するためのプログラムを記憶した記憶媒体であって、
上記読取手段が本体装着状態で待機中にあるとき、その読取手段を所定時間ごとに本体装着状態での原稿読取動作における１ラインあたりの読取時間よりも短い１ラインあたりの読取時間で上記基準部材の読取動作をさせて色レベルを調整し、そうして得られた色レベルをハンディ操作用として設定するための色レベル設定プログラムと、
上記読取手段をハンディ操作で使用するとき、上記色レベル設定プログラムに基づいて設定されたハンディ操作用の色レベルに基づいて、上記読取手段からのアナログ信号をデジタル信号に変換させるためのＡ／Ｄ変換制御プログラムとを含むプログラムを記憶したコンピュータ読み取り可能な記憶媒体。
【請求項５】
原稿からの反射光量に応じてアナログ信号を出力する読取手段を、本体装着およびハンディ操作により利用可能に備え、その読取手段からのアナログ信号をデジタル信号として取り込む際、装置本体に設けられた基準部材を読み取って設定される光源光量レベルを所定の光源光量レベルとした条件の下で上記読取手段を動作させる画像読取装置を制御するためのプログラムを記憶した記憶媒体であって、
上記読取手段が本体装着状態で待機中にあるとき、その読取手段を所定時間ごとに本体装着状態での原稿読取動作における１ラインあたりの読取時間よりも短い読取時間で上記基準部材の１ラインあたりの読取動作をさせて光源光量レベルを調整し、そうして得られた光源光量レベルをハンディ操作用として設定するための光源光量レベル設定プログラムと、
上記読取手段をハンディ操作で使用するとき、上記光源光量レベル設定プログラムに基づいて設定されたハンディ操作用の光源光量レベルの下で、上記読取手段に読取動作を行わせるための読取動作制御プログラムとを含むプログラムを記憶したコンピュータ読み取り可能な記憶媒体。
【発明の詳細な説明】
【０００１】
【発明の属する技術分野】
本発明は、一つの読取手段を本体装着およびハンディ操作の両方に利用できる画像読取装置、およびその画像読取装置を制御するためのプログラムを記憶した記憶媒体に関する。
【０００２】
【従来の技術】
たとえば、読取手段となるイメージセンサを内蔵一体型としたファクシミリ装置では、原稿から画像を読み取る直前に黒レベルやＬＥＤ光量レベルを調整し、それから実際に画像を読み取る動作を開始している。本体装着とハンディ操作とに兼用できるイメージセンサを備えたファクシミリ装置でも、黒レベルやＬＥＤ光量レベルを調整できるが、本体からイメージセンサを取り外した状態では安定して調整できないことから、本体からイメージセンサを取り外す前に使用者の所定操作に応じて調整を行う必要がある。
【０００３】
【発明が解決しようとする課題】
ところが、イメージセンサをハンディ操作で使用する場合には、使用者が調整操作を行うことなく、すぐに本体からイメージセンサを取り外して読取開始することが考えられ、そうした場合、黒レベルやＬＥＤ光量レベルが調整できずに読取結果として画質の良い画像が得られないという問題があった。また、ハンディ操作する場合に限ってそのような操作を使用者に強いるのは、使い勝手の点で問題があった。
【０００４】
本発明は、上記の点に鑑みて提案されたものであって、ハンディ操作で画像を読み取る場合でも、画質の良い画像を得ることができるとともに、ハンディ操作の使い勝手を良くすることができる画像読取装置、およびその画像読取装置を制御するためのプログラムを記憶した記憶媒体を提供することを目的とする。
【０００５】
【課題を解決するための手段】
上記目的を達成するために、請求項１に記載した発明の画像読取装置は、原稿からの反射光量に応じてアナログ信号を出力する読取手段を、本体装着およびハンディ操作により利用可能に備え、その読取手段からのアナログ信号をデジタル信号に変換する際、装置本体に設けられた基準部材を読み取って得られる所定の色レベルに基づいてＡ／Ｄ変換する画像読取装置であって、上記読取手段が本体装着状態で待機中にあるとき、その読取手段を所定時間ごとに本体装着状態での原稿読取動作における１ラインあたりの読取時間よりも短い１ラインあたりの読取時間で上記基準部材の読取動作をさせて色レベルを調整し、そうして得られた色レベルをハンディ操作用として設定する色レベル設定手段と、上記読取手段をハンディ操作で使用するとき、上記色レベル設定手段により設定されたハンディ操作用の色レベルに基づいて、上記読取手段からのアナログ信号をデジタル信号に変換させるＡ／Ｄ変換制御手段とを有することを特徴とする。
【０００６】
このような画像読取装置によれば、読取手段をハンディ操作で使用する際には、その読取手段を本体に装着した状態の際に得られたハンディ操作用の色レベルに基づいて、画像データの元となるデジタル信号を得ることができるので、ハンディ操作で画像を読み取る場合でも、あらかじめハンディ操作用として調整された色レベルを用いて画質の良い画像を得ることができる。また、色レベルを調整することなく本体からすぐに読取手段を取り外して読取開始することができるので、ハンディ操作の使い勝手を良くすることができる。
【０００７】
また、請求項２に記載した発明の画像読取装置は、請求項１に記載の画像読取装置であって、上記色レベル設定手段は、上記ハンディ操作用の色レベルとして、読取階調に応じた黒レベルを読取階調ごとに設定する一方、上記Ａ／Ｄ変換制御手段は、上記読取手段をハンディ操作で使用するとき、その際に指定された読取階調に対応する黒レベルを基準としてＡ／Ｄ変換を行わせる。
【０００８】
このような画像読取装置によれば、請求項１に記載の画像読取装置による効果に加えて、２値や中間調といった読取階調ごとにハンディ操作用の黒レベルがあらかじめ設定されるので、ハンディ操作の際に指定された読取階調に応じて適切な黒レベルにより読み取った良質の画像を得ることができる。
【０００９】
さらに、請求項３に記載した発明の画像読取装置は、原稿からの反射光量に応じてアナログ信号を出力する読取手段を、本体装着およびハンディ操作により利用可能に備え、その読取手段からのアナログ信号をデジタル信号として取り込む際、装置本体に設けられた基準部材を読み取って設定される光源光量レベルを所定の光源光量レベルとした条件の下で上記読取手段を動作させる画像読取装置であって、上記読取手段が本体装着状態で待機中にあるとき、その読取手段を所定時間ごとに本体装着状態での原稿読取動作における１ラインあたりの読取時間よりも短い１ラインあたりの読取時間で上記基準部材の読取動作をさせて光源光量レベルを調整し、そうして得られた光源光量レベルをハンディ操作用として設定する光源光量レベル設定手段と、上記読取手段をハンディ操作で使用するとき、上記光源光量レベル設定手段により設定されたハンディ操作用の光源光量レベルの下で、上記読取手段に読取動作を行わせる読取動作制御手段とを有することを特徴とする。
【００１０】
このような画像読取装置によれば、読取手段をハンディ操作で使用する際には、その読取手段を本体に装着した状態の際に得られたハンディ操作用の光源光量レベルの下で、読取手段に読取動作を行わせることができるので、ハンディ操作で画像を読み取る場合でも、あらかじめハンディ操作用として調整された光源光量レベルにより画質の良い画像を得ることができる。また、光源光量レベルを調整することなく本体からすぐに読取手段を取り外して読取開始することができるので、ハンディ操作の使い勝手を良くすることができる。
【００１１】
また、請求項４に記載した発明の記憶媒体は、原稿からの反射光量に応じてアナログ信号を出力する読取手段を、本体装着およびハンディ操作により利用可能に備え、その読取手段からのアナログ信号をデジタル信号に変換する際、装置本体に設けられた基準部材を読み取って得られる所定の色レベルに基づいてＡ／Ｄ変換する画像読取装置を制御するためのプログラムを記憶した記憶媒体であって、上記読取手段が本体装着状態で待機中にあるとき、その読取手段を所定時間ごとに本体装着状態での原稿読取動作における１ラインあたりの読取時間よりも短い１ラインあたりの読取時間で上記基準部材の読取動作をさせて色レベルを調整し、そうして得られた色レベルをハンディ操作用として設定するための色レベル設定プログラムと、上記読取手段をハンディ操作で使用するとき、上記色レベル設定プログラムに基づいて設定されたハンディ操作用の色レベルに基づいて、上記読取手段からのアナログ信号をデジタル信号に変換させるためのＡ／Ｄ変換制御プログラムとを含むプログラムをコンピュータが読み取り可能に記憶したことを特徴とする。
【００１２】
このような記憶媒体によれば、記憶されたプログラムに基づいてＣＰＵを動作させることにより、請求項１に記載の画像読取装置を実現することができる。
【００１３】
さらに、請求項５に記載した発明の記憶媒体は、原稿からの反射光量に応じてアナログ信号を出力する読取手段を、本体装着およびハンディ操作により利用可能に備え、その読取手段からのアナログ信号をデジタル信号として取り込む際、装置本体に設けられた基準部材を読み取って設定される光源光量レベルを所定の光源光量レベルとした条件の下で上記読取手段を動作させる画像読取装置を制御するためのプログラムを記憶した記憶媒体であって、上記読取手段が本体装着状態で待機中にあるとき、その読取手段を所定時間ごとに本体装着状態での原稿読取動作における１ラインあたりの読取時間よりも短い１ラインあたりの読取時間で上記基準部材の読取動作をさせて光源光量レベルを調整し、そうして得られた光源光量レベルをハンディ操作用として設定するための光源光量レベル設定プログラムと、上記読取手段をハンディ操作で使用するとき、上記光源光量レベル設定プログラムに基づいて設定されたハンディ操作用の光源光量レベルの下で、上記読取手段に読取動作を行わせるための読取動作制御プログラムとを含むプログラムをコンピュータが読み取り可能に記憶したことを特徴とする。
【００１４】
このような記憶媒体によれば、記憶されたプログラムに基づいてＣＰＵを動作させることにより、請求項３に記載の画像読取装置を実現することができる。
【００１５】
【発明の実施の形態】
以下、本発明の好ましい実施の形態について図面を参照して説明する。
【００１６】
図１は、本発明に係る画像読取装置の一実施形態として、ファクシミリ装置の構成を示したブロック図である。この図に示すように、本発明に係るファクシミリ装置は、ＣＰＵ１０、ＮＣＵ１１、ＲＡＭ１２、モデム１３、ＲＯＭ１４、ＥＥＰＲＯＭ１５、ゲートアレイ１６、コーデック１７、ＤＭＡＣ１８、読取部２１、記録部２２、操作部２３、および表示部２４などを具備して概略構成されている。ＣＰＵ１０、ＮＣＵ１１、ＲＡＭ１２、モデム１３、ＲＯＭ１４、ＥＥＰＲＯＭ１５、ゲートアレイ１６、コーデック１７、およびＤＭＡＣ１８は、バス線２６により相互に接続されている。バス線２６には、アドレスバス、データバス、および制御信号線が含まれる。ゲートアレイ１６には、読取部２１、記録部２２、操作部２３、および表示部２４が接続されている。ＮＣＵ１１には、公衆電話回線２７が接続されている。
【００１７】
ＣＰＵ１０は、ファクシミリ装置全体の動作を制御する。ＮＣＵ１１は、公衆電話回線２７に接続されて網制御を行う。ＲＡＭ１２は、ＣＰＵ１０の作業領域や各種データの格納領域などを提供する。モデム１３は、ファクシミリデータの変調や復調などを行う。ＲＯＭ１４は、ＣＰＵ１０が実行すべきプログラムや設定値などのデータを記憶している。ＥＥＰＲＯＭ１５は、各種のフラグや設定データなどを記憶する。ゲートアレイ１６は、ＣＰＵ１０と各部２１〜２４とのインターフェースとして機能する。なお、ゲートアレイ１６には、後述するハンディスキャナから出力されたアナログ信号をデジタル信号に変換するＡ／Ｄ変換回路などが組み込まれている。コーデック１７は、ファクシミリデータの符号化や復号化を行う。ＤＭＡＣ１８は、主にＲＡＭ１２へのデータの書き込みや読み出しを行う。
【００１８】
読取部２１は、本体装着とハンディ操作とに兼用できる脱着式のハンディスキャナやＬＥＤ光源などを備え、原稿などからの反射光量に応じて画像を読み取る機能を有している。記録部２２は、たとえばインクジェット方式あるいは熱転写方式などにより、データに基づく文字や画像などを記録する機能を有している。操作部２３は、テンキーや文字キーなどのキースイッチ群を備えており、ユーザの入力操作に応じた指令をＣＰＵ１０に伝える。表示部２４は、ＬＣＤなどのディスプレイを備えており、ＣＰＵ１０の制御によって各種の文字情報などを表示する。
【００１９】
要点について簡単に説明すると、本ファクシミリ装置は、ハンディスキャナを本体装着状態に限らずハンディ操作により使用できるが、実際にハンディ操作で画像を読み取る前に、画質向上のため光源光量レベルを調整するとともに、黒レベルを調整する必要がある。この黒レベルとは、ハンディスキャナから反射光量に応じて出力されるアナログ信号の下限電圧レベルを規定したものである。
【００２０】
ここで、ハンディスキャナを本体装着状態で使用する際には、原稿用紙などを自動的に本体内部に引き込む直前、あるいは引き込む動作に並行して本体内部に内蔵された光源などを制御しつつ光源光量レベルや、光源を点灯しない状態で黒レベルを調整できるが、ハンディ操作する場合には、本体からハンディスキャナを取り外してすぐに読み取りを開始させるのが望ましいことから、本体装着状態のように各レベルの調整を行うのは困難である。
【００２１】
そこで、本実施形態では、ハンディスキャナが本体装着状態で待機中にあるとき、たとえば１時間ごとにハンディ操作と同条件でハンディスキャナを動作させ、光源光量レベルおよび黒レベルを調整している。ハンディスキャナが本体装着状態の際に得られたハンディ操作用の光源光量レベルおよび黒レベルは、ＣＰＵ１０の制御によりその都度ＥＥＰＲＯＭ１５に設定保存され、ハンディスキャナをハンディ操作で使用する際には、このＥＥＰＲＯＭ１５に設定保存されたハンディ操作用の光源光量レベルおよび黒レベルに基づいて、ハンディスキャナからのアナログ信号がデジタル信号に変換される。なお、ハンディ操作用の光源光量レベルおよび黒レベルとしては、モノクロ（２値）やグレースケール（中間調）といった読取階調ごとに設定保存されており、ハンディ操作の際に使用者が読取階調を指定すると、その読取階調に対応した光源光量レベルおよび黒レベルが読み出される。
【００２２】
すなわち、ＣＰＵ１０は、読取手段（ハンディスキャナ）が本体装着状態にあるとき、その読取手段を所定時間ごとに本体装着状態での原稿読取動作における１ラインあたりの読取時間よりも短い１ラインあたりの読取時間で基準部材の読取動作をさせて色レベルを調整し、そうして得られた色レベルをハンディ操作用として設定する色レベル設定手段と、読取手段をハンディ操作で使用するとき、色レベル設定手段により設定されたハンディ操作用の色レベルに基づいて、読取手段からのアナログ信号をデジタル信号に変換させるＡ／Ｄ変換制御手段とを実現している。また、ＣＰＵ１０は、読取手段が本体装着状態にあるとき、その読取手段を所定時間ごとに本体装着状態での原稿読取動作における１ラインあたりの読取時間よりも短い１ラインあたりの読取時間で基準部材の読取動作をさせて光源光量レベルを調整し、そうして得られた光源光量レベルをハンディ操作用として設定する光源光量レベル設定手段と、読取手段をハンディ操作で使用するとき、光源光量レベル設定手段により設定されたハンディ操作用の光源光量レベルの下で、読取手段に読取動作を行わせる読取動作制御手段とを実現している。
【００２３】
ＲＯＭ１４は、原稿からの反射光量に応じてアナログ信号を出力する読取手段を、本体装着およびハンディ操作により利用可能に備え、その読取手段からのアナログ信号をデジタル信号に変換する際、装置本体に設けられた基準部材を読み取って得られる所定の色レベルに基づいてＡ／Ｄ変換する画像読取装置を制御するためのプログラムを記憶した記憶媒体であって、上記読取手段が本体装着状態にあるとき、その読取手段を所定時間ごとに本体装着状態での原稿読取動作における１ラインあたりの読取時間よりも短い１ラインあたりの読取時間で基準部材の読取動作をさせて色レベルを調整し、そうして得られた色レベルをハンディ操作用として設定するための色レベル設定プログラムと、上記読取手段をハンディ操作で使用するとき、上記色レベル設定プログラムに基づいて設定されたハンディ操作用の色レベルに基づいて、上記読取手段からのアナログ信号をデジタル信号に変換させるためのＡ／Ｄ変換制御プログラムとを含むプログラムを記憶した記憶媒体を実現している。また、ＲＯＭ１４は、原稿からの反射光量に応じてアナログ信号を出力する読取手段を、本体装着およびハンディ操作により利用可能に備え、その読取手段からのアナログ信号をデジタル信号として取り込む際、装置本体に設けられた基準部材を読み取って設定される光源光量レベルを所定の光源光量レベルとした条件の下で上記読取手段を動作させる画像読取装置を制御するためのプログラムを記憶した記憶媒体であって、上記読取手段が本体装着状態にあるとき、その読取手段を所定時間ごとに本体装着状態での原稿読取動作における１ラインあたりの読取時間よりも短い１ラインあたりの読取時間で基準部材の読取動作をさせて光源光量レベルを調整し、そうして得られた光源光量レベルをハンディ操作用として設定するための光源光量レベル設定プログラムと、上記読取手段をハンディ操作で使用するとき、上記光源光量レベル設定プログラムに基づいて設定されたハンディ操作用の光源光量レベルの下で、上記読取手段に読取動作を行わせるための読取動作制御プログラムとを含むプログラムを記憶したコンピュータ読み取り可能な記憶媒体を実現している。
【００２４】
次に、上記構成を有するファクシミリ装置の動作について図面を参照して説明する。
【００２５】
図２は、ハンディ操作用の光源光量レベルを調整する処理手順を示したフローチャートであって、この図に示すように、まず、ＣＰＵ１０は、この読取調整処理が前回行われてから所定時間経過したか否かを判断する（Ｓ１）。
【００２６】
前回から所定時間が経過すると（Ｓ１：ＹＥＳ）、ＣＰＵ１０は、ハンディスキャナが本体装着状態にあるか否かを判定する（Ｓ２）。なお、ハンディスキャナが本体装着状態にあるか否かを判定するために、ハンディスキャナあるいは本体装着箇所などには、センサが設けられている。
【００２７】
ハンディスキャナが本体装着状態にあると（Ｓ２：ＹＥＳ）、ＣＰＵ１０は、装置全体が待機状態であるか否か、すなわち、画像の読取動作や記録動作、ファクシミリ送受信動作などが行われていないか否かを判定する（Ｓ３）。
【００２８】
装置全体が待機状態にある場合（Ｓ３：ＹＥＳ）、ＣＰＵ１０は、光源に所定の電圧を供給することにより、待機中にかかわらず光源を発光させる（Ｓ４）。この際、光源に供給される所定電圧は、前回の読取調整処理によりハンディ操作用として設定された光源光量レベルに応じた値とされる。また、このようなレベル調整のために待機中に光源を発光させる際には、外乱光の影響を防ぐため、使用者がキー操作を行ってもディスプレイなどのバックライトが点灯しないように制御される。
【００２９】
続いて、ＣＰＵ１０は、本体に装着された状態のハンディスキャナを実際に動作させ、本体内部の基準部材を読み取らせる（Ｓ５）。この際、ハンディスキャナは、ハンディ操作と同条件で読取動作を行うように制御される。たとえば本体装着状態では、１ラインあたりの読取時間を５ｍｓとするところ、ハンディ操作と同条件とするために１ラインあたり読取時間を３ｍｓとして基準部材を読み取らせる。これにより、ハンディスキャナから基準部材の反射光量に応じたアナログ信号が出力され、このアナログ信号は、Ａ／Ｄ変換回路によりデジタル信号に変換される。
【００３０】
そして、ＣＰＵ１０は、Ａ／Ｄ変換回路より得られたデジタル信号に基づいて、光源による光量が適切で調整する必要がないか否かを判断する（Ｓ６）。
【００３１】
光源光量が適切である場合（Ｓ６：ＹＥＳ）、ＣＰＵ１０は、この時点で用いられた光源光量レベルをハンディ操作用として決定し、この光源光量レベルをＥＥＰＲＯＭ１５に設定保存させた後（Ｓ７）、この光源光量レベル調整処理を終了する。このようにしてＥＥＰＲＯＭ１５に設定保存されたハンディ操作用の光源光量レベルは、実際にハンディスキャナを本体から取り外してハンディ操作で使用する際に用いられることとなる。つまり、ハンディ操作ごとに光源光量レベルを調整するための操作を行う必要はなく、ハンディスキャナを本体から取り外してすぐに読取を開始することができる。なお、ＥＥＰＲＯＭ１５に設定保存されたハンディ操作用の光源光量レベルは、先に説明したように、モノクロやグレースケールといった読取階調ごとに別にして設定保存される。
【００３２】
Ｓ６において、光源光量が適切でない場合（Ｓ６：ＮＯ）、ＣＰＵ１０は、Ａ／Ｄ変換回路からのデジタル信号を基にして光源光量が適切になるまでこれを増減させ（Ｓ８）、Ｓ５に戻って基準部材を再び読み取らせる。
【００３３】
Ｓ３において、装置全体が待機状態でない場合（Ｓ３：ＮＯ）、つまり、画像の読取動作や記録動作、ファクシミリ送受信動作などが行われている場合、ＣＰＵ１０は、待機状態となるまで繰り返しＳ３を実行する。
【００３４】
Ｓ２において、ハンディスキャナが本体装着状態にない場合（Ｓ２：ＮＯ）、ＣＰＵ１０は、ハンディスキャナが本体に装着された状態となるまで繰り返しＳ２を実行する。
【００３５】
Ｓ１において、前回の読取調整処理から所定時間が経過していない場合（Ｓ１：ＮＯ）、ＣＰＵ１０は、所定時間が経過するまで次のＳ２に移行しない。
【００３６】
さらに、図３は、ハンディ操作用の黒レベルを調整する処理手順を示したフローチャートであって、この図に示す黒レベルの調整も、上記光源光量レベルの調整とほぼ同様に、他の動作が行われていない待機中に行われるが、ハンディスキャナが本体装着状態で読み取りを開始する際には、光源を非点灯とした状態で読み取りが行われる（Ｓ１４）。
【００３７】
ＣＰＵ１０は、そうして読み取り結果から得た黒レベルをハンディ操作用として決定し、この黒レベルをＥＥＰＲＯＭ１５に設定保存させた後（Ｓ１５）、この黒レベル調整処理を終了する。このようにしてＥＥＰＲＯＭ１５に設定保存されたハンディ操作用の黒レベルは、実際にハンディスキャナを本体から取り外してハンディ操作で使用する際に用いられることとなる。つまり、ハンディ操作ごとに黒レベルを調整するための操作を行う必要はなく、ハンディスキャナを本体から取り外してすぐに読取を開始することができる。なお、ＥＥＰＲＯＭ１５に設定保存されたハンディ操作用の黒レベルについても、先に説明した光源光量レベルと同様に、モノクロやグレースケールといった読取階調ごとに別にして設定保存される。
【００３８】
次に、図４は、実際にハンディ操作で画像を読み取る際の処理手順を示したフローチャートであって、まず、ＣＰＵ１０は、ハンディ操作で読取処理を行うにあたって使用者により読取階調が２値に指定されたか否かを判定する（Ｓ２１）。
【００３９】
２値に指定された場合（Ｓ２１：ＹＥＳ）、ＣＰＵ１０は、ＥＥＰＲＯＭ１５からハンディ操作用で２値の読取階調に対応した光源光量レベルを読み出し、その光源光量レベルに基づいて光源を発光させる（Ｓ２２）。
【００４０】
また、ＣＰＵ１０は、ＥＥＰＲＯＭ１５からハンディ操作用で２値の読取階調に対応した黒レベルを読み出し、その黒レベルをＡ／Ｄ変換回路に適用する（Ｓ２３）。
【００４１】
そして、ＣＰＵ１０は、２値の読取階調による読取処理を行わせ（Ｓ２４）、これにより、適切な２値画像のデータを得てこのルーチンを終える。
【００４２】
Ｓ２１において、使用者により読取階調が中間調に指定された場合（Ｓ２１：ＮＯ）、ＣＰＵ１０は、ＥＥＰＲＯＭ１５からハンディ操作用で中間調に対応した光源光量レベルを読み出し、その光源光量レベルに基づいて光源を発光させる（Ｓ２５）。
【００４３】
また、ＣＰＵ１０は、ＥＥＰＲＯＭ１５からハンディ操作用で中間調に対応した黒レベルを読み出し、その黒レベルをＡ／Ｄ変換回路に適用する（Ｓ２６）。
【００４４】
そして、ＣＰＵ１０は、中間調の読取階調による読取処理を行わせ（Ｓ２７）、これにより、適切なグレースケール画像のデータを得てこのルーチンを終える。
【００４５】
以上説明したように、上記構成、動作を有するファクシミリ装置によれば、ハンディスキャナをハンディ操作で使用する際には、そのハンディスキャナを本体に装着した状態で得られたハンディ操作用の光源光量レベルおよび黒レベルに基づいて、デジタル化された画像データを得ることができるので、ハンディ操作で画像を読み取る場合でも、あらかじめハンディ操作用として調整された光源光量レベルおよび黒レベルを用いて画質の良い画像を得ることができる。また、光源光量レベルや黒レベルを調整することなく本体からすぐにハンディスキャナを取り外して読取開始することができるので、ハンディ操作の使い勝手を良くすることができる。
【００４６】
なお、本発明は、上記の実施形態に限定されるものではない。
【００４７】
たとえば、ハンディ操作用の光源光量レベルや黒レベルのほか、たとえばハンディ操作用の白レベルを待機中に取得して設定保存する構成であっても良い。
【００４８】
また、カラー画像の読取に対応すべく、ＲＧＢ色ごとにハンディ操作用の各レベルを待機中に設定保存するようにしても良い。
【００４９】
ハンディスキャナが本体装着状態でない場合や、何らかの動作が行われている場合には、光源光量レベルや黒レベルを調整することなく、そのまま前回の値を引き続きＥＥＰＲＯＭ１５などに保持させるようにしても良い。
【００５０】
光源光量レベルや黒レベルをＥＥＰＲＯＭ１５に設定保存する際、前回と同様の値であれば上書きすることなくそのまま保持させるようにしても良い。
【００５１】
【発明の効果】
以上説明したように、請求項１に記載した発明の画像読取装置によれば、読取手段をハンディ操作で使用する際には、その読取手段を本体に装着した状態の際に得られたハンディ操作用の色レベルに基づいて、画像データの元となるデジタル信号を得ることができるので、ハンディ操作で画像を読み取る場合でも、あらかじめハンディ操作用として調整された色レベルを用いて画質の良い画像を得ることができる。また、色レベルを調整することなく本体からすぐに読取手段を取り外して読取開始することができるので、ハンディ操作の使い勝手を良くすることができる。
【００５２】
また、請求項２に記載した発明の画像読取装置によれば、請求項１に記載の画像読取装置による効果に加えて、２値や中間調といった読取階調ごとにハンディ操作用の黒レベルがあらかじめ設定されるので、ハンディ操作の際に指定された読取階調に応じて適切な黒レベルにより読み取った良質の画像を得ることができる。
【００５３】
さらに、請求項３に記載した発明の画像読取装置によれば、読取手段をハンディ操作で使用する際には、その読取手段を本体に装着した状態の際に得られたハンディ操作用の光源光量レベルの下で、読取手段に読取動作を行わせることができるので、ハンディ操作で画像を読み取る場合でも、あらかじめハンディ操作用として調整された光源光量レベルにより画質の良い画像を得ることができる。また、光源光量レベルを調整することなく本体からすぐに読取手段を取り外して読取開始することができるので、ハンディ操作の使い勝手を良くすることができる。
【００５４】
また、請求項４に記載した発明の記憶媒体によれば、記憶されたプログラムに基づいてＣＰＵを動作させることにより、請求項１に記載の画像読取装置を実現することができる。
【００５５】
さらに、請求項５に記載した発明の記憶媒体によれば、記憶されたプログラムに基づいてＣＰＵを動作させることにより、請求項３に記載の画像読取装置を実現することができる。
【図面の簡単な説明】
【図１】本発明に係る画像読取装置の一実施形態として、ファクシミリ装置の構成を示したブロック図である。
【図２】ハンディ操作用の光源光量レベルを調整する処理手順を示したフローチャートである。
【図３】ハンディ操作用の黒レベルを調整する処理手順を示したフローチャートである。
【図４】実際にハンディ操作で画像を読み取る際の処理手順を示したフローチャートである。
【符号の説明】
１０  ＣＰＵ
１１  ＮＣＵ
１２  ＲＡＭ
１３  モデム
１４  ＲＯＭ
１５  ＥＥＰＲＯＭ
１６  ゲートアレイ
１７  コーデック
１８  ＤＭＡＣ
２１  読取部
２２  記録部
２３  操作部
２４  表示部
【図１】
0003620418.tif 000002
【図２】
0003620418.tif 000003
【図３】
0003620418.tif 000004
【図４】
0003620418.tif 000005